(57)【要約】【課題】  使い勝手がよく、キーが使用中不用意に容易には離脱しないキーインタグホルダーを提供することを目的とする。【解決手段】  ＩＤタグＰを収納可能とし且つキーＱを挿脱可能に構成して成るキーインタグホルダーであって、下方にキー収納用の収納部１４が設けられ、上方にキー固定用の孔部１５が形成されているキーインタグホルダー本体１と、キー本体９の上方に把持板部１０が設けられ、該把持板部１０にキーインタグホルダー本体１の孔部１５に対応する突起部１１が形成されたキーＱとを備え、前記キーインタグホルダー本体１の収納部１４に当該キーＱを収納すると共に、キーインタグホルダー本体１上方の孔部１５にキー把持板部１０の突起部１１がパッチン止めにより嵌合固定できるようにして構成される。【選択図】          図３
2006132185.tif 000002
【特許請求の範囲】
【請求項１】
ＩＤタグを収納可能とし且つキーを挿脱可能に構成して成るキーインタグホルダーであって、下方にキー収納用の収納部が設けられ、上方にキー固定用の孔部が形成されているキーインタグホルダー本体と、キー本体の上方に把持板部が設けられ、該把持板部にキーインタグホルダー本体の孔部に対応する突起部が形成されたキーとを備え、前記キーインタグホルダー本体の収納部に当該キーを収納すると共に、キーインタグホルダー本体上方の孔部にキー把持板部の突起部がパッチン止めにより嵌合固定できるようにしたことを特徴とするキーインタグホルダー。
【請求項２】
キーインタグホルダー本体は、可撓性を有する合成樹脂材にて一体に形成されていることを特徴とする請求項１記載のキーインタグホルダー。
【請求項３】
キーインタグホルダー本体の両側にジョイント部を設け、両ジョイント部に帯状バンドをそれぞれ連結し、ジョイント部の一方にＩＤタグの収容孔部を形成したことを特徴とする請求項１記載のキーインタグホルダー。
【発明の詳細な説明】
【技術分野】
【０００１】
本発明は、例えばロッカーキー等のキーと、当該キーの使用者に係るデータが記録されたＩＤタグを収容可能にし、例えば日帰り温泉施設、ヘルスセンター、スポーツセンター等の不特定多数の者が利用する施設への利用者の入退館を管理する際に、施設利用者の利用状況を把握し、確実に精算処理を行うことのできるように構成されたリストバンドタイプのキーインタグホルダーに関する。
【背景技術】
【０００２】
従来、この種のキーインタグホルダーとしては、特許文献１に開示されているようなデータキャリア用リストバンドが存在する。すなわち、これは、データの入出力可能なコイン型のＩＤタグによるデータキャリアを位置決めされた状態に収容するデータキャリア収納部と、キーの固定部とが一体的に設けられ、このキー固定部を介してキーを回転させながら収納可能とした環状になり得る帯状を成したエチレン酢酸ビニル共重合体製の帯状バンドを備えたものである。
【特許文献１】特開平１１−１８８１０号公報
【発明の開示】
【発明が解決しようとする課題】
【０００３】
しかしながら、従来におけるデータキャリア用リストバンドにあっては、キーを旋回させてキー収納部内に収納できるよう、キー収納部に対してキー自体がキー固定具でもって回転可能に枢着一体化されているため、キーを使用するときにはいったん手首から帯状バンドを取り外さなければならないものであり取り扱い上、非常に面倒であった。
【０００４】
そこで、本発明は、叙上のような従来存した諸事情に鑑み創出されたもので、バンドによって手首に装着されているキーインタグホルダー本体からキーを離脱可能にすることで、キーインタグホルダー自体を手首から取り外さなくてもキーのみを容易に取り外して使用することができ、しかも、パッチン止めによりキーをキーインタグホルダー本体に固定でき、使用中にキーがキーインタグホルダー本体から容易に離脱することのないキーインタグホルダーを提供することを目的とする。
【課題を解決するための手段】
【０００５】
上述した課題を解決するため、本発明は、請求項１では、ＩＤタグを収納可能とし且つキーを挿脱可能に構成して成るキーインタグホルダーであって、下方にキー収納用の収納部が設けられ、上方にキー固定用の孔部が形成されているキーインタグホルダー本体と、キー本体の上方に把持板部が設けられ、該把持板部にキーインタグホルダー本体の孔部に対応する突起部が形成されたキーとを備え、前記キーインタグホルダー本体の収納部に当該キーを収納したとき、キーインタグホルダー本体上方の孔部にキー把持板部の突起部がパッチン止めにより嵌合固定できるようにしたことを特徴とする。
【０００６】
また、請求項２では、キーインタグホルダー本体は、可撓性を有する合成樹脂材にて一体に形成されていることを特徴とする。
【０００７】
さらに、請求項３では、キーインタグホルダー本体の両側にジョイント部を設け、両ジョイント部に帯状バンドをそれぞれ連結し、ジョイント部の一方にＩＤタグの収容孔部を形成したことを特徴とする。
【発明の効果】
【０００８】
本発明によれば、従来のようにキーがキーインタグホルダーと一体に連結されることなく、バンドによって手首に装着されているキーインタグホルダー本体から離脱可能としてあるので、キーインタグホルダー本体を手首から取り外さなくてもキーのみを容易に取り外して使用でき使い勝手が頗るよいものである。
【０００９】
また、キーをキーインタグホルダー本体に対して、キーの把持板部に設けられた突起部と可撓性を有するキーインタグホルダー本体上方に設けられた孔部とをパッチン止めによりワンタッチ操作で嵌合固定して収納するため、使用中不用意にキーがキーインタグホルダー本体から離脱するのを阻止することができる。
【発明を実施するための最良の形態】
【００１０】
以下、図面を参照して本発明を実施するための最良の一形態を説明すると、図において示される符号１は、棒状のＩＤタグＰを収納可能とし且つキーＱを挿脱可能に構成して成るキーインタグホルダー本体であって、図１に示すように、例えばポリウレタン等の可撓性を有する合成樹脂製材によって、横幅約２６ｍｍ、縦幅約５７ｍｍ、厚さ約６ｍｍ程度の略矩形板状に形成されており、その左右両端側にはジョイント部６、７を介して左右一対の可撓性の帯状バンド２Ａ、２Ｂがそれぞれ取り付けられている。
【００１１】
そして、一方のジョイント部７には、横幅方向にＩＤタグ収容孔部８が形成されており、この収容部８内に棒状のＩＤタグＰが密閉状態で収容されている。尚、このＩＤタグＰは、利用者のＩＤ番号、利用情報が記憶されるもので、退館時にはキーインタグホルダーをフロントに提示し、精算処理される。
【００１２】
また、一方の帯状バンド２Ａには、遊環３と矩形環状のストッパー枠部４が取り付けられ、手首に巻装された際に、他方の帯状バンド２Ｂの片面に等間隔毎に隣接配置された複数の係止突部５のいずれか一つがストッパー枠部４の挿入口に挿入係止されることで手首にしっかりと巻付固定されるようにしてある。
【００１３】
さらに、キーＱは、図４に示したように、金属製のキー本体９の上端にキー把持板部１０が設けられている。すなわち、キーＱにおけるキー本体９の上端部に、例えばＰＣ等の硬質な合成樹脂材によって形成された矩形板状のカバー部材を被覆装着することによって形成されている。
【００１４】
そして、この把持板部１０の一面上方には、後述するキーインタグホルダー本体１に設けられた孔部に嵌合可能なパッチン止め用の突起部１１が一体に突設されている。この突起部１１は、その先端周囲に前記孔部より僅かに大きな円形の膨出縁部１１ａが一体に形成されている。
尚、キー把持板部１０の突起部１１とは反対の面には、例えばロッカー番号１２が表示されている。
【００１５】
図１、図２および図３に示すように、キーインタグホルダー本体１の上側約半部の箇所には、キーＱの把持板部１０側を嵌合固定させるための略横長矩形状の既述開口部１３が形成され、また下側約半部の箇所には、この開口部１３に連通する状態でキー本体９収納用の収納部１４が形成されている。
【００１６】
さらに、キーインタグホルダー本体１の上端には、キー固定用の孔部１５が形成されている。この孔部１５は、キーＱ上方の把持板部１０の一面に突設された突起部１１が嵌・脱自在に嵌合固定できるものとなっている。即ち、この突起部１１先端に設けられた膨出縁部１１ａがキーインタグホルダー本体１上端に設けられた孔部１５内に弾性嵌合することによってキーＱのキーインタグホルダー本体１の収納部４から容易に離脱しないものとなっている。
【００１７】
次に、上記した構成によるキーインタグホルダーの使用方法の一例について説明する。
先ず、利用者はフロントで受付を行い、キーインタグホルダー本体１を受け取る。それから、ロッカーへ出向き、選択したロッカー内に持ち物を収納、ロッカーの施錠機構に保持されているキーＱによって施錠後、キーインタグホルダー本体１に対して当該キーＱをワンタッチで取り付ける。
【００１８】
すなわち、図３（ａ）、（ｂ）に示したように、キーＱの把持板部１０を手に持ってキーインタグホルダー本体１の開口部１３からキー本体１３を収納部１４内へ押し込むと、キーＱの把持板部１０に設けられた突起部１１によって可撓性を有するキーインタグホルダー本体１の上端が後方へ撓みつつ当該突起部１１の先端が下方へ摺動してキーインタグホルダー本体１の孔部１５内へ押し込まれる。
【００１９】
このとき、図３（ｃ）に示したように、キーＱ把持板部１０の突起部１１先端には、キーインタグホルダー本体１の孔部１５より僅かに大きい膨出縁部１１ａが形成されているため、当該孔部１５内へパッチン止めによって堅固に嵌合固定される。
【００２０】
こうしてキーＱはキーインタグホルダー本体１の収納部１４内へ完全に収納されるが、当該キーＱをキーインタグホルダー本体１から抜き出すには、キーＱ把持板部１０の突起部１１をキーインタグホルダー本体１の上端を後方へ撓ませることによって孔部１５から離脱させてからキーＱを上方へ引き抜けばよい。
【００２１】
ところで、キーＱを収納したキーインタグホルダー本体１を手首に装着するには、キーＱ把持部１０の突起部１１の反対側を手首側に向けて装着するものとする。
【００２２】
そのためには、キーＱ把持部１０の外面とキーインタグホルダー本体１の収納部１４の外面とが面一となるように形成することが望ましく、これによって突起部１１が手首に当たらないことと相俟って使用感の向上が図れる。
【図面の簡単な説明】
【００２３】
【図１】本発明を実施するため最良の形態を示すもので、（ａ）はキーインタグホルダーの正面図、（ｂ）はキーインタグホルダー本体の背面図である。
【図２】キーインタグホルダーの要部とキーの使用状態を示すもので、キー収納前の正面図である。
【図３】同じくキーインタグホルダーの要部とキーの使用状態を示すもので、（ａ）はキー収納前の縦断面図、（ｂ）はキー収納後の縦断面図、（ｃ）はパッチン止め後の縦断面図である。
【図４】キーを示すもので、（ａ）は正面図、（ｂ）は背面図、（ｃ）は側面図である。
【符号の説明】
【００２４】
Ｐ          ＩＤタグ
Ｑ          キー
１          キーインタグホルダー本体
２Ａ、２Ｂ  帯状バンド
６、７      ジョイント部
８          ＩＤタグ収納部
９          キー本体
１０        把持板部
１１        突起部
１４        キー収納部
１５        孔部
【図１】
2006132185.tif 000003
【図２】
2006132185.tif 000004
【図３】
2006132185.tif 000005
【図４】
2006132185.tif 000006